(57)【要約】【課題】トレンド画面に表示されている現状の測定結果と設定との関係が、利用者に容易に確認できるようにする。【解決手段】設定範囲グラフ生成部１０３は、測定値変化グラフと同じ目盛りの測定値軸で、上記数値範囲を示す設定範囲表示グラフを生成する。表示制御部１０４は、測定値グラフ生成部１０１が生成した測定値変化グラフ，イベント発生グラフ生成部１０２が生成したイベント発生表示グラフ，および設定範囲グラフ生成部１０３が生成した設定範囲表示グラフを同時に、表示部１０９にトレンド画面として表示させる。【選択図】  図１
2016038762.tif 000002
【特許請求の範囲】
【請求項１】
監視対象で測定された測定値の変化を時系列に示す測定値変化グラフを生成する測定値グラフ生成部と、
前記測定値変化グラフと同じ目盛りの測定値軸で、イベントの発生に関して設定された数値範囲を示す設定範囲表示グラフを生成する設定範囲グラフ生成部と、
前記測定値グラフ生成部が生成した測定値変化グラフおよび前記設定範囲グラフ生成部が生成した設定範囲表示グラフを同時に表示部に表示させる表示制御部と
を備えることを特徴とする表示装置。
【請求項２】
請求項１記載の表示装置において、
前記設定範囲グラフ生成部は、数値範囲の数値表示を備える前記設定範囲表示グラフを生成する
ことを特徴とする表示装置。
【請求項３】
請求項１または２記載の表示装置において、
前記イベントが発生する数値範囲を示す前記時間軸に平行な線を、前記設定範囲表示グラフに連結した状態で前記測定値グラフ内に生成する数値連結線生成部を備え、
前記表示制御部は、前記測定値変化グラフおよび前記設定範囲表示グラフに加え、前記数値連結線生成部が生成した線を同時に前記表示部に表示させる
ことを特徴とする表示装置。
【請求項４】
請求項１〜３のいずれか１項に記載の表示装置において、
前記測定値変化グラフと同じ目盛りの時間軸で前記測定値の変化に対応させ、前記イベントの発生有無をタイミング図で示したイベント発生表示グラフを生成するイベント発生グラフ生成部を備え、
前記表示制御部は、前記測定値変化グラフおよび前記設定範囲表示グラフに加えて前記イベント発生グラフ生成部が生成したイベント発生表示グラフを同時に表示部に表示させる
ことを特徴とする表示装置。
【請求項５】
請求項４記載の表示装置において、
前記イベント発生グラフ生成部は、複数のイベントの発生有無を示す前記イベント発生表示グラフを生成する
ことを特徴とする表示装置。
【請求項６】
請求項１〜５のいずれか１項に記載の表示装置において、
前記設定範囲グラフ生成部は、複数のイベント毎に対応する設定範囲を各々異なる表示状態とした前記設定範囲表示グラフを生成する
ことを特徴とする表示装置。
【請求項７】
請求項６記載の表示装置において、
前記数値連結線生成部が生成した線を境界線として前記測定値グラフ内を分割し、分割した前記測定値グラフ内の領域を対応する前記イベント発生表示グラフと同じ表示状態に変更する測定値グラフ表示変更部を備え、
前記表示制御部は、前記測定値グラフ表示変更部により変更された前記測定値グラフを前記表示部に表示させる
ことを特徴とする表示装置。
【請求項８】
請求項１〜７のいずれか１項に記載の表示装置において、
入力された模擬測定値および入力された前記数値範囲の変更により前記イベント発生表示グラフを模擬的に生成する模擬データ生成部を備え、
前記表示制御部は、前記模擬データ生成部が生成した模擬的な前記イベント発生表示グラフを前記表示部に表示させる
ことを特徴とする表示装置。
【請求項９】
請求項８記載の表示装置において、
前記模擬データ生成部が模擬的なイベント発生表示グラフの生成に用いた数値範囲を、実際の設定値に反映させる設定反映部を備える
ことを特徴とする表示装置。
【発明の詳細な説明】
【技術分野】
【０００１】
本発明は、調節計による監視状態を表示する表示装置に関する。
【背景技術】
【０００２】
各種温度環境等の温度を調節する温度調節計は、熱電対や測温抵抗体等の温度センサを用いて検出された監視対象の温度を数値表示し、また、検出した温度（ＰＶ値）と設定温度（ＳＰ値）とに従って加熱・冷却装置に対する制御出力（ＭＶ値）を求め、監視対象の温度を制御する。ところで、温度調節計は、小型化などのために各情報を表示する領域を大きくすることができない。
【０００３】
このため、測定値の時系列な変化などを示すトレンドグラフなどは、調節計に接続したパーソナルコンピュータ，タブレット端末，スマートフォンなどの小型なコンピュータ機器の、モニタ上のトレンド画面において確認可能とされている（特許文献１参照）。トレンド画面においては、調節計の設定状態、測定値の変化などが表やグラフなどで示される。例えば、図４に示すように、領域４０１に、２つの監視対象における温度測定結果の変化がグラフで示される。また、設定されている数値範囲より外れた値が測定された結果が、領域４０２において、警報のオンオフ変化としてタイミング図で表示される。また、接続したコンピュータ機器により、調節計の設定変更などが行えるように構成されている。
【先行技術文献】
【特許文献】
【０００４】
【特許文献１】特開２００４−１７８１５７号公報
【発明の概要】
【発明が解決しようとする課題】
【０００５】
しかしながら、上述したトレンド画面では、設定および設定が反映された結果に対し、測定値が正しく関連しているか、また、測定されている結果の原因などが、容易に判断できないという問題がある。例えば、図４に示す例では、グラフ表示のいずれの測定値が、設定範囲を超えているのかが瞬時には判断できない。また、上述したトレンド画面では、設定値は表で示されて数値の羅列であり、測定値の変化はグラフで示されており、これらが同時に表示されても、測定値と設定値との関係を直感的に認識することが容易ではない。
【０００６】
本発明は、以上のような問題点を解消するためになされたものであり、トレンド画面に表示されている現状の測定結果と設定との関係が、利用者に容易に確認できるようにすることを目的とする。
【課題を解決するための手段】
【０００７】
本発明に係る表示装置は、監視対象で測定された測定値の変化を時系列に示す測定値変化グラフを生成する測定値グラフ生成部と、測定値変化グラフと同じ目盛りの測定値軸で、イベントの発生に関して設定された数値範囲を示す設定範囲表示グラフを生成する設定範囲グラフ生成部と、測定値グラフ生成部が生成した測定値変化グラフおよび設定範囲グラフ生成部が生成した設定範囲表示グラフを同時に表示部に表示させる表示制御部とを備える。
【０００８】
上記表示装置において、設定範囲グラフ生成部は、数値範囲の数値表示を備える設定範囲表示グラフを生成するようにしてもよい。
【０００９】
上記表示装置において、イベントが発生する数値範囲を示す時間軸に平行な線を、設定範囲表示グラフに連結した状態で測定値グラフ内に生成する数値連結線生成部を備え、表示制御部は、測定値変化グラフおよび設定範囲表示グラフに加え、数値連結線生成部が生成した線を同時に表示部に表示させるようにしてもよい。
【００１０】
上記表示装置において、測定値変化グラフと同じ目盛りの時間軸で測定値の変化に対応させ、イベントの発生有無をタイミング図で示したイベント発生表示グラフを生成するイベント発生グラフ生成部を備え、表示制御部は、測定値変化グラフおよび設定範囲表示グラフに加えてイベント発生グラフ生成部が生成したイベント発生表示グラフを同時に表示部に表示させるようにしてもよい。
【００１１】
上記表示装置において、イベント発生グラフ生成部は、複数のイベントの発生有無を示すイベント発生表示グラフを生成するようにしてもよい。
【００１２】
上記表示装置において、設定範囲グラフ生成部は、複数のイベント毎に対応する設定範囲を各々異なる表示状態とした設定範囲表示グラフを生成するようにしてもよい。
【００１３】
上記表示装置において、数値連結線生成部が生成した線を境界線として測定値グラフ内を分割し、分割した測定値グラフ内の領域を対応するイベント発生表示グラフと同じ表示状態に変更する測定値グラフ表示変更部を備え、表示制御部は、測定値グラフ表示変更部により変更された測定値グラフを表示部に表示させるようにしてもよい。
【００１４】
上記表示装置において、入力された模擬測定値および入力された数値範囲の変更によりイベント発生表示グラフを模擬的に生成する模擬データ生成部を備え、表示制御部は、模擬データ生成部が生成した模擬的なイベント発生表示グラフを表示部に表示させるようにしてもよい。また、模擬データ生成部が模擬的なイベント発生表示グラフの生成に用いた数値範囲を、実際の設定値に反映させる設定反映部を備えるようにしてもよい。
【発明の効果】
【００１５】
以上説明したことにより、本発明によれば、トレンド画面に表示されている現状の測定結果と設定との関係が、利用者に容易に確認できるようになるという優れた効果が得られる。
【図面の簡単な説明】
【００１６】
【図１】図１は、本発明の実施の形態における表示装置の構成を示す構成図である。
【図２】図２は、本発明の実施の形態における表示装置の表示部１０９における表示例を示す構成図である。
【図３】図３は、本発明の実施の形態における表示装置の表示部１０９における表示例を示す構成図である。
【図４】図４は、従来の表示装置の表示構成を示す構成図である。
【発明を実施するための形態】
【００１７】
以下、本発明の実施の形態について図を参照して説明する。図１は、本発明の実施の形態における表示装置の構成を示す構成図である。この表示装置は、測定値グラフ生成部１０１，イベント発生グラフ生成部１０２，設定範囲グラフ生成部１０３，表示制御部１０４，表示部１０９，および入力部１１０を備える。
【００１８】
測定値グラフ生成部１０１は、監視対象で測定された測定値の変化を時系列に示す測定値変化グラフを生成する。イベント発生グラフ生成部１０２は、測定値変化グラフと同じ目盛りの時間軸で測定値の変化に対応させ、イベントの発生有無をタイミング図で示したイベント発生表示グラフを生成する。イベントは、図示しないイベント発生部より発生される。イベント発生部により、イベントの発生に関して設定された数値範囲となった測定値が検出されてイベントが発生される。イベントは、例えば警報である。
【００１９】
また、設定範囲グラフ生成部１０３は、測定値変化グラフと同じ目盛りの測定値軸で、上記数値範囲を示す設定範囲表示グラフを生成する。表示制御部１０４は、測定値グラフ生成部１０１が生成した測定値変化グラフ、および設定範囲グラフ生成部１０３が生成した設定範囲表示グラフを同時に、表示部１０９にトレンド画面として表示させる。また、表示制御部１０４は、イベント発生グラフ生成部１０２が生成したイベント発生表示グラフを、測定値変化グラフおよび設定範囲表示グラフとともに、表示部１０９にトレンド画面として表示させる。
【００２０】
例えば、図２に示すように、表示部１０９の測定値変化表示領域１２１に、測定値変化グラフが表示され、イベント発生表示領域１２２に、イベント発生表示グラフ（タイミング図）が表示される。図２に示す例では、２つの温度測定値の時系列変化を示すグラフが、トレンド画面の一部として表示されている。また、図２に示す例では、一方の測定値の時系列変化に対し、警報１の発生有無を示すイベント発生グラフ１３１、警報２の発生有無を示すイベント発生グラフ１３２、および警報３の発生有無を示すイベント発生グラフ１３３が、トレンド画面の一部として表示されている。
【００２１】
加えて、本発明では、表示部１０９の設定範囲表示領域１２３に、設定範囲表示グラフが表示される。図２に示す例では、警報１の発令に関して設定された数値範囲を示す範囲グラフ１４１、警報２の発令に関して設定された数値範囲を示す範囲グラフ１４２、警報３の発令に関して設定された数値範囲を示す範囲グラフ１４３が、トレンド画面の一部として表示されている。
【００２２】
また、図２に示す例では、各数値範囲に対し、設定されている不感帯も示されている。例えば、警報１のための設定範囲については、上限について１００〜１１０℃が不感帯として設定されていることが、範囲グラフ１４１に示されている。また、警報２のための設定範囲については、下限について５０〜６０℃、上限について８０〜９０℃が不感帯として設定されていることが、範囲グラフ１４２に示されている。また、警報２のための設定範囲については、下限について３０〜４０℃、上限について１３０〜１４０℃が不感帯として設定されていることが、範囲グラフ１４２に示されている。
【００２３】
また、図２に示す例では、設定範囲グラフ生成部１０３の制御により、各範囲グラフにおいて、数値範囲の数値表示が表示されている。このように、設定範囲グラフ生成部１０３が、数値範囲の数値表示を備える設定範囲表示グラフを生成し、これを表示するようにしてもよい。
【００２４】
上述したように、設定範囲表示グラフを表示するようにしたので、イベント発生に関する設定値や、イベントが発生することになる測定値の範囲などと、測定結果との関係が、瞬時に判断できるようになる。また、上述したように、警報などのイベントは、１つに限るものではなく、同じ測定値に対して設定されている複数のイベント発生について、同時に表示してもよい。この場合、イベント発生グラフ生成部１０２は、複数のイベントの発生有無を示すイベント発生表示グラフを生成し、設定範囲グラフ生成部１０３は、複数のイベント毎に対応する設定範囲を各々異なる表示状態とした設定範囲表示グラフを生成する。
【００２５】
また、この表示装置は、数値連結線生成部１０５備える。数値連結線生成部１０５は、イベントが発生する数値範囲を示す時間軸に平行な線を、設定範囲表示グラフに連結した状態で測定値グラフ内に生成する。
【００２６】
このように数値連結線生成部１０５が、連結線を生成すると、表示制御部１０４は、測定値変化グラフ，イベント発生表示グラフ，および設定範囲表示グラフに加え、生成された連結線を同時に表示部１０９に表示させる。例えば、図２に示すように、設定範囲表示領域１２３から測定値変化表示領域１２１にかけて、点線による連結線１６１を表示する。このようにすることで、設定値と測定結果との関係が、よりわかりやすくなる。
【００２７】
また、この表示装置は、測定値グラフ表示変更部１０６，模擬データ生成部１０７，設定反映部１０８を備える。測定値グラフ表示変更部１０６は、数値連結線生成部１０５が生成した線を境界線として測定値グラフ内を分割し、分割した測定値グラフ内の領域を対応するイベント発生表示グラフと同じ表示状態に変更する。
【００２８】
このように、測定値グラフ表示変更部１０６が表示変更をすると、表示制御部１０４は、測定値グラフ表示変更部１０６により変更された測定値グラフを表示部１０９に表示させる。例えば、図３に示すように、範囲グラフ１４１の範囲を示す測定値変化表示領域１２１の範囲１５１を、範囲グラフ１４１と同じ色で表示する。また、範囲グラフ１４２の範囲を示す測定値変化表示領域１２１の範囲１５２を、範囲グラフ１４２と同じ色で表示する。また、範囲グラフ１４３の範囲を示す測定値変化表示領域１２１の範囲１５３を、範囲グラフ１４１と同じ色で表示する。各表示色は、各々識別可能に異なる色とする。このように色分け表示することで、設定値と測定結果との関係が、よりわかりやすくなる。
【００２９】
ところで、警報発令の設定は、従来は実際の調節計に対して行い、また、入力種類に合った電圧や抵抗値など実際に入力として印加することで警報動作の確認を行っていた。このような動作の確認を行うためには、本体の電源を用意して投入し、各種設定を調節計に対して行い、実際に電圧発生器などで入力を行って測定値を変化させるなどし、警報が検討しているとおりの動作をするか確認しなければならなかった。また、実際にシステムに組み込まれている状態では、センサなどが取り付けられており電圧発生器などで擬似的に測定値を変化させることは困難である。従って設定が思い通りかどうかを確認することすら実質的にできなかった。
【００３０】
これに対し、利用者が視認可能な表示上で、警報動作のシミュレーションが可能になれば、調節計本体がシステムに組み込まれている状態であっても、警報動作を確認した上で設定値を書き込むことが可能となる。模擬データ生成部１０７は、上記シミュレーションを可能とする。
【００３１】
模擬データ生成部１０７は、入力された模擬測定値および入力された数値範囲の変更によりイベント発生表示グラフを模擬的に生成する。例えば、入力部１１０より入力された模擬測定値および変更された数値範囲が入力されると、模擬データ生成部１０７は、
入力された模擬測定値に対し、変更された数値範囲に対応したイベント発生表示グラフを、現在の測定値に対して模擬的に生成する。このように模擬的なイベント発生表示グラフが生成されると、表示制御部１０４が、表示部１０９に表示させる。
【００３２】
特に、警報発生に関する設定は多いため、これらの機能を組み合わせて使用したい場合、どのような挙動になるのかを正確に想定するのは難しい。利用者が仕様に熟知していたとしても、複雑な設定の組み合わせで勘違いする可能性もある。このような勘違いをしたまま設定を行うと、例えば、高温の危険回避のための警報であるにもかかわらず想定どおりに警報が発生しない状況が発生し、事故につながる可能性もある。模擬データ生成部１０７によりシミュレーションを可能とし、事前に動作を確認できれば、上述のような事故を回避することが可能となる。
【００３３】
また、設定反映部１０８は、模擬データ生成部１０７が模擬的なイベント発生表示グラフの生成に用いた数値範囲を、実際の設定値に反映させる。例えば、上述したように事前動作確認をした後、確認した警報のオンオフ点、ヒステリシス、ディレイ時間などの設定項目の数値範囲が、設定反映部１０８により接続している調節計に反映させる。これにより、シミュレーションで確認した結果が、確実に間違いなく高速に、実際の設定値として設定することができる。
【００３４】
ところで、入力部１１０が、表示部１０９に一体に取り付けられたタッチパネルセンサであれば、上述したような数値範囲の変更が容易に行える。例えば、表示部１０９の測定値変化表示領域１２１において、指先でなぞることにより測定値の時系列変化を示す波形を描くことで、模擬測定値を入力する。このように入力した模擬測定値に対し、設定値を変更していくことで、どのように警報が発令されるかを確認することができる。
【００３５】
以上に説明したように、本発明によれば、測定値の変化が表示される測定値変化グラフと同じ目盛りの測定値軸で、数値範囲を示す設定範囲表示グラフを生成し、測定値変化グラフとともに表示するようにしたので、トレンド画面に表示されている現状の測定結果と設定との関係が、利用者に容易に確認できるようになる。
【００３６】
従来のトレンド画面では、設定，設定が反映された結果，および測定結果や、これらの結果の関連が正しいか、あるいは、当該結果となった理由を確認するためには、設定の記憶を頼りにするしかなく、直感的に状態の良否を判断することが難しかった。また、設定値を表示しても、数字の羅列であるため、トレンド画面のグラフと数値を並べてもモニタの値と設定値の関係を直感的に知ることは難しかった。
【００３７】
特に温度調節計に特有な、警報における不感帯の動作、待機動作、オンディレイ、オフディレイが利用されている場合、全ての設定がどのようになっているかを直感的に知ることは、正しい判断や設定ミスを防ぐ上で重要である。しかし、従来では、現在の警報結果をもたらしている設定と測定値との関係を直感的に判別することはできなかった。
【００３８】
これに対し、本発明によれば、設定の数値を別途に確認することなく、現在の測定値や警報の状態に加え、設定範囲が１つの画面で直感的に理解できるため、オンオフの設定と測定結果との相関の確認に対して、作業の効率やミスをこれまでと比較して大幅に防ぐことが可能となる。
【００３９】
なお、本発明は以上に説明した実施の形態に限定されるものではなく、本発明の技術的思想内で、当分野において通常の知識を有する者により、多くの変形および組み合わせが実施可能であることは明白である。本発明は、表示制御部の制御により、測定値変化グラフおよび設定範囲表示グラフを同時に、表示部にトレンド画面として表示させることが重要であり、イベント発生表示グラフ，連結線，範囲の色分けなどは、適宜に組み合わせることができる。
【符号の説明】
【００４０】
１０１…測定値グラフ生成部、１０２…イベント発生グラフ生成部、１０３…設定範囲グラフ生成部、１０４…表示制御部、１０５…数値連結線生成部、１０６…測定値グラフ表示変更部、１０７…模擬データ生成部、１０７…設定反映部、１０９…表示部、１１０…入力部。
【図１】
2016038762.tif 000003
【図２】
2016038762.tif 000004
【図４】
2016038762.tif 000005
【図３】
2016038762.tif 000006